(57)【要約】  【課題】ガイドレールをテールランプ近接位置まで後方へ長く延長したときに、車体後部側面のデザイン上の見栄えを確保する。  【解決手段】  車体の側部に設けられた乗降用開口４を開閉するスライドドア３が、前後方向に伸びるガイドレール２０によってガイドされる。ガイドレール２０は、その後端が車体後部に設けられたテールランプ１０と近接位置まで後方に長く伸びており、テールランプ１０の前端を超えてさらに後方にまで延長することもできる。  ガイドレール２０を覆って車体外面を構成するカバー部材２５が、テールランプ１０の前縁に連なっている。カバー部材２５の下縁２５ｃが、テールランプ１０の水平方向見切り線１０ｃと略同一高さとするのが好ましい。【選択図】  図１
2005075281.tif 000002
【特許請求の範囲】
【請求項１】
車体の側部に設けられた乗降用開口を開閉するサイドドアが、前後方向にスライドされることにより該乗降用開口を開閉すると共に後方にスライドされたときに該乗降用開口を開くスライドドアとされ、
車体側部に、前後方向に伸びて前記スライドドアをガイドするためのガイドレールが設けられ、
前記スライドドアには、前記ガイドレールにスライド可能に係合されるドア支持部材が設けられ、
前記ガイドレールは、その後端が車体後部に設けられたテールランプと近接するように後方に長く伸びており、
車体外面を構成すると共に、少なくとも前記ガイドレールの後端部を車体外方側から覆って前記テールランプの前縁に連なるカバー部材が設けられている、
ことを特徴とする車両のスライドドア支持構造。
【請求項２】
請求項１において、
前記ガイドレールの後端が、前記テールランプの水平方向見切り線と略同一高さとなるように設定されている、ことを特徴とする車両のスライドドア支持構造。
【請求項３】
請求項１または請求項２において、
前記カバー部材の下縁が、前記テールランプの水平方向見切り線と略同一高さに設定され、
前記カバー部材の外面が、前記テールランプの外面に対してほぼ隙間なく略面一に連なっている、
ことを特徴とする車両のスライドドア支持構造。
【請求項４】
請求項１ないし請求項３のいずれか１項において、
前記スライドドアをスライド駆動させるための駆動機構が設けられ、
前記駆動機構の一部が、前記テールランプに対して前方からラップされている、
ことを特徴とする車両のスライドドア支持構造。
【請求項５】
請求項４において、
前記駆動機構が、前記スライドドアに連結されたワイヤと、前記ガイドレールの後端部付近に配設されて該ワイヤをガイドするガイド部とを有し、
前記ガイド部が、前記テールランプに対して前方からラップされている、ことを特徴とする車両のスライドドア支持構造。
【請求項６】
請求項３において、
前記カバー部材の下縁が、前記ガイドレールに沿って前後方向に直線的に伸びるように設定され、
前記カバー部材の下縁が、該カバー部材の下方にある車体外面を構成するパネル材に対して上下方向に若干の隙間をあけて略面一に連なっており、
前記ドア支持部材が、前記隙間を通るように配設されて、前記カバー部材の下縁に沿ってスライドされるようにされ、
前記カバー部材の前縁が、閉状態にある前記スライドドアの後縁に近接かつ滑らかに連なるようにされている、
ことを特徴とする車両のスライドドア支持構造。
【請求項７】
請求項６において、
前記パネル材が、車体内方側にへこんだ前後方向に伸びる段差を有して、該段差の上方に前記ガイドレールおよびカバー部材が配設され、
前パネル材のうち前記段差よりも上方に位置する上パネル部に対してリアクオ−タガラスが取付けられ、
前記カバー部材が、前記パネル材のうち前記段差よりも下方に位置する下パネル部の上縁と前記リアクオ−タガラスの下縁とを滑らかに連結している、
ことを特徴とする車両のスライドドア支持構造。
【発明の詳細な説明】
【技術分野】
【０００１】
本発明は車両のスライドドア支持構造に関するものである。
【背景技術】
【０００２】
車両の中には、いわゆる１ボックスカーや１．５ボックスカー等で多く見られるように、車体側部に形成された乗降用開口を開閉するサイドドア特に車体最後方にあるサイドドアを、前後方向にスライドされるスライドドアとしたものがある。このスライドドアを所定の軌跡に沿って滑らかにスライド動させるために、車体側部に前後方向に伸びるガイドレールを設けて、スライドドアに設けたドア支持部材をガイドレールにスライド可能に係合させたものがある。そして、通常は、乗降用開口を閉じているスライドドアを後方へスライドさせることによって、乗降用開口が開かれるようになっている。
【０００３】
特許文献１には、スライドドアの駆動つまり開閉を容易に行うために、別途駆動機構を設けたものが開示されている。この駆動機構は、通常、上記ドア支持部材に連結したワイヤをモータによって前後方向に駆動するようになっており、ワイヤは途中でガイドプーリ等によって案内されるようになっている。
【特許文献１】特開２００３−８２９２７号公報
【発明の開示】
【発明が解決しようとする課題】
【０００４】
ところで、最近では、スライドドアによる乗降用開口の開口面積を前後方向に大きくすることが望まれるようになっている。このため、スライドドアを従来よりもより後方へとスライドできるようにすることが考えられている。しかしながら、ガイドレールを単に後方を長く延長した場合は、ガイドレールの後端部が車体側面のデザインに大きな影響を与えて、不体裁になってしまうことが生じやすいものとなる。すなわち、ガイドレールを設けると共に車体側に連結されたドア支持部材が車体外方側からガイドレールに係合される関係上、このガイドレールに沿って車体側部には、前後方向に伸びる薄幅の開口部が形成されてしまうことになるが、この前後方向に伸びる開口部が車体側部のデザインに与える影響が極めて大きいものとなる。
【０００５】
すなわち、車体後部には、その車幅方向（左右方向）各端部においてテールランプが設けられるが、ガイドレールの後端部とテールランプとが上下方向に大きく位置ずれ等してその関係にデザイン的なまとまりがないと、全体として車体側部のデザインがまとまりのないものとなる。このことは、車体デザインがさほど問題とならない商用車であればともかく、自家用車、特に高級自家用車の場合は、無視することのできない大きな問題となる。
【０００６】
本発明は以上のような事情を勘案してなされたもので、その目的は、スライドドアの後方へのスライド量を大きくししつつ、車体側部のうち後端部のデザイン上の見栄えも十分に確保できるようにした車両のスライドドア支持構造を提供することにある。
【課題を解決するための手段】
【０００７】
前記目的を達成するため、本発明にあっては次のような解決手法を採択してある。すなわち、特許請求の範囲における請求項１に記載のように、
車体の側部に設けられた乗降用開口を開閉するサイドドアが、前後方向にスライドされることにより該乗降用開口を開閉すると共に後方にスライドされたときに該乗降用開口を開くスライドドアとされ、
車体側部に、前後方向に伸びて前記スライドドアをガイドするためのガイドレールが設けられ、
前記スライドドアには、前記ガイドレールにスライド可能に係合されるドア支持部材が設けられ、
前記ガイドレールは、その後端が車体後部に設けられたテールランプと近接するように後方に長く伸びており、
車体外面を構成すると共に、少なくとも前記ガイドレールの後端部を車体外方側から覆って前記テールランプの前縁に連なるカバー部材が設けられている、
ようにしてある。上記解決手法によれば、ガイドレールをテールランプ近傍にまで大きく後方へ伸ばすことにより、スライドドアを後方へより大きく移動させることが可能となって、スライドドアによって開閉される乗降用開口の前後方向の開口幅をより大きく確保して、乗降が容易となる。また、テールランプに連なる少なくともガイドレールの後端部を、車体外面を構成するカバー部材で覆うことにより、このガイドレールからテールランプに渡っての車体側部の外観上の見栄えも十分確保されることになる。
【０００８】
上記解決手法を前提とした好ましい態様は、特許請求の範囲における請求項２以下に記載のとおりである。すなわち、
前記ガイドレールの後端が、前記テールランプの水平方向見切り線と略同一高さとなるように設定されている、ようにすることができる（請求項２対応）。この場合、車体を側面から見たとき、車体外面に現れて一種のパ−ティングラインを構成してしまうことになるガイドレールをテールランプの水平方向見切り線と略同一高さ位置とすることにより、ガイドレールからテールランプに渡っての部分がデザイン的につながりのある状態となり、この結果ガイドレールを覆うカバー部材をテールランプに対して十分にデザイン的なつながりを有する形状に設定することが可能となる。
【０００９】
前記カバー部材の下縁が、前記テールランプの水平方向見切り線と略同一高さに設定され、
前記カバー部材の外面が、前記テールランプの外面に対してほぼ隙間なく略面一に連なっている、
ようにすることができる（請求項３対応）。この場合、カバー部材からテールランプに渡っての部分が連続した面となって、外観上の見栄え向上の上でより一層好ましいものとなる。
【００１０】
前記スライドドアをスライド駆動させるための駆動機構が設けられ、
前記駆動機構の一部が、前記テールランプに対して前方からラップされている、
ことを特徴とする車両のスライドドア支持構造。
ようにすることができる（請求項４対応）。この場合、駆動機構を組み込んでスライドドアの駆動を容易にできるようにしつつ、駆動機構の一部をより十分に後方に位置させて、スライドドアを十分に後方まで駆動することができる。
【００１１】
前記駆動機構が、前記スライドドアに連結されたワイヤと、前記ガイドレールの後端部付近に配設されて該ワイヤをガイドするガイド部とを有し、
前記ガイド部が、前記テールランプに対して前方からラップされている、
ようにすることができる（請求項５対応）。この場合、ガイド部を十分に後方に位置させて、スライドドアを十分に後方に駆動させる上で好ましいものとなる。
【００１２】
前記カバー部材の下縁が、前記ガイドレールに沿って前後方向に直線的に伸びるように設定され、
前記カバー部材の下縁が、該カバー部材の下方にある車体外面を構成するパネル材に対して上下方向に若干の隙間をあけて略面一に連なっており、
前記ドア支持部材が、前記隙間を通るように配設されて、前記カバー部材の下縁に沿ってスライドされるようにされ、
前記カバー部材の前縁が、閉状態にある前記スライドドアの後縁に近接かつ滑らかに連なるようにされている、
ようにすることができる（請求項６対応）。この場合、ガイドレールを覆うカバー部材によって、閉状態にあるスライドドアの後方からテールランプに渡っての前後方向の長い範囲に渡って車体外面を構成することができる。
【００１３】
前記パネル材が、車体内方側にへこんだ前後方向に伸びる段差を有して、該段差の上方に前記ガイドレールおよびカバー部材が配設され、
前パネル材のうち前記段差よりも上方に位置する上パネル部に対してリアクオ−タガラスが取付けられ、
前記カバー部材が、前記パネル材のうち前記段差よりも下方に位置する下パネル部の上縁と前記リアクオ−タガラスの下縁とを滑らかに連結している、
ようにすることができる（請求項７対応）。この場合、車体外面を構成するパネル材に形成した段差を利用して、ガイドレールおよびカバー部材を配設することができる。また、パネル材は、ガイドレールの位置で上下方向に分断されることなく連続した構成なので、車体強度の確保やその製造の容易化等の上でも好ましいものとなる。
【発明の効果】
【００１４】
本発明によれば、スライドドアによって開閉される乗降用開口の前後方向の開口幅をより大きくして乗員の乗降をより容易にしつつ、車体側部のうち特に後端部付近の外観向上の上でも好ましいものとなる。
【発明を実施するための最良の形態】
【００１５】
図１において、車両Ｓにおける運転席あるいは助手席用となる前サイドドア１１は、その前端部を中心にして開閉される揺動式とされて、車室内外を連通する前乗降用開口２を開閉するようになっている。車体側部には、前サイドドア１の後方に位置させて、後サイドドアとしてのスライドドア３が設けられている。このスライドドア３は、後席用の乗降用開口４（図４をも参照）を開閉するもので、前後方向にスライドされて、前方スライド端に位置したときに、車室内外を連通する後乗降用開口４を覆う閉位置とされ、後方へ移動されることによって後乗降用開口４を開く開位置とされる。このようなスライドドア３は、図５に示すように、インナパネル３ａとアウタパネル３ｂとによって閉断面状に形成されていて、その上部にウインドガラス３ｃ（図１〜図４参照）がはめ込まれている。
【００１６】
車両Ｓは、その後面に後開口５を有し（図４をも参照）、この後開口５がバックドア６によって、開閉される。バックドア６は、その上端部を中心として開閉される揺動式とされているが、車幅方向端部を中心として揺動される横開き式等、適宜の開閉方式を採用することができる。
【００１７】
図１〜図４に示すように、車両Ｓは、その後端部のうち車幅方向（左右方向）各端部に、テールランプ１０が設けられている。このテールランプ１０は、バックドア６の左右に位置するリアピラーに取付けられていて、バックドア６の開閉にかかわらず車体の一定位置に固定状態とされている。テールランプ１０は、車両Ｓの後方に臨む後面部１０ａと、車幅方向外方側に臨む側面部１０ｂとを有している。勿論、このようなテールランプ１０は、例えば、車幅灯（ランプ）、ブレーキ灯、方向指示灯の少なくとも１つが組み込まれており、実施形態ではこれら全てのランプが組み込まれている。なお、図１中７はリアバンパであり、図２〜図４では、リアバンパ７とバックドア６とが外された状態が示されている。
【００１８】
図１〜図４中、１２は後乗降用開口４の後方において車体側部を構成するリアクオータパネルであり、１３はル−フ（ル−フパネル）である。リアクオータパネル１２は、図５に示すように、インナパネル１２ａとアウタパネル１２ｂとによって閉断面状に形成されている。そして、リアクオ−タパネル１２の上部には、リアクオータガラス１５が設けられている。そして、リアクオ−タパネル１２の後端部が、テールランプ１０が取付けられるリアピラーを構成している。
【００１９】
車体側部のうち、後乗降用開口４の後方において、ガイドレール２０が取付けられている。このガイドレール２０は、スライドドア３を前後方向にガイドするためのもので、その前端は後乗降用開口４の後縁部に位置され、その後端は、車体側面視においてテールランプ１０の前端よりも若干後方にまで伸びている。前後方向に伸びるガイドレール２０は、その下縁の高さ位置が、テールランプ１０の下水平方向見切り線１０ｃと略一致するように設定されている。すなわち、テールランプ１０は、ガイドレール２０の高さ位置から上方に伸びており、前述の車幅灯、ブレーキ灯、方向指示灯は、互いに上下方向に離間して設けられている。このようなガイドレール２０の高さ位置は、スライドドア３の上下方向略中間部に位置するようになっている。すなわち、スライドドア３のうち、そのウインドガラス３ｃの直下方にあるベルトラインよりも若干低い位置に、ガイドレール２０の高さ位置が設定されている。このようなガイドレール２０は、車体に対して、溶接あるいはボルト固定等によって、車体に固定されている。
【００２０】
図３、図５に示すように、上記ガイドレール２０は、車幅方向外方側に向けて開口された開口部２０ａを有し、この開口部２０ａは、ガイドレール２０の全長に渡って伸びている。このような、ガイドレール２０に対して、図５、図６に示すように、スライドドア３の後部内端部に取付けられたドア支持部材２１がスライド可能に係合されている。すなわち、ドア支持部材２１は、一対のブラケット部２１ａ、２１ｂとを有して、一方のブラケット部２１ａがスライドドア３に溶接、ボルト固定等によって固定されている。ブラケット部２１ａの先端部に対して、他方のブラケット部２１ｂの基端部が、ピン２１ｃによって上下方向軸線を中心にして回動自在に連結されている。
【００２１】
上記他方のブラケット部２１ｂの先端部には、一対のガイドローラ２１ｄ、２１ｅが回転自在に保持されている。一方のガイドローラ２１ｄは、略水平方向に伸びる軸線回りに回転自在とされて、ガイドレール２０の底壁部上を移動されるようになっている。すなわち、ガイドローラ２１ｄは、主としてスライドドア３の下方への変位を規制するものとなっている。他方のガイドローラ２１ｅは、上下方向に伸びる軸線回りに回転自在とされて、ガイドレール２０のうち車幅方向において隔置された一対の側壁部間に位置されて、車幅方向に位置ずれしないようにされている。すなわち、ガイドローラ２１ｅは、スライドドア３の車幅方向への変位を規制するものとなっている。なお、このようなガイドローラ２１ｄ、２１ｅは、前後方向に小間隔をあけて前後に２組設けられている。
【００２２】
後乗降用開口４の後方に位置される車体外面を構成するパネル材は、前述したリアクオ−タパネル１２のアウタパネル１２ｂによって構成されている。図５に示すように、このアウタパネル１２ｂには、リアホイールハウジングを構成するパネル材１４が接合されている。アウタパネル１２ｂは、ガイドレール２０の高さ位置で一旦車幅方向内方側にへこまされた後、上方へと伸びていて、この車幅方向内方側にへこまされることにより形成される段部２３上にガイドレール２０が配設されている。つまり、ガイドレール２０の下方にあるアウタパネル１２ｂの外面をそのまま上方へ延長した延長線よりも、ガイドレール２０が車幅方向外方側へ突出しないように設定されている。
【００２３】
ガイドレール２０は、カバー部材（ガーニッシュ部材）２５によって車幅方向外方側から覆われている。このカバー部材２５は、図５、図６に示すように、インナパネル２５ａとアウタパネル２５ｂとによって閉断面状に形成されている。そして、カバー部材２５によってガイドレール２０を覆った状態では、そのアウタパネル２５ｂが、その下方に位置するアウタパネル１２ｂに略面一となるように滑らかに連なっている。パネル材１２のアウタパネル１２ｂのうち、段差２３よりも上方の上パネル部には、前述したリアクオ−タガラス１５が取付けられるが、カバー部材２５の上縁は、リアクオ−タガラス１５の下縁に滑らかに連なっている。すなわち、カバー部材２５は、リアクオ−タガラス１５と段差２３よりも下方のアウタパネル１２ｂとを滑らかに連結するものとなっている。さらに、カバー部材２５の外面のうちその前縁は、閉状態にあるスライドドア３の外面のうちその後縁に近接かつ滑らかに連なっている。
【００２４】
カバー部材２５の下縁２５ｃは、ガイドレール２０に沿って前後方向に直線状とされて、リアフェンダとなるアウタパネル１２ｂとの間に上下方向に若干の隙間２６を形成するようになっている（図５参照）。この隙間２６は、ガイドレール２０に沿って前後方向に直線状に伸びていて、前述したドア支持部材２１のブラケット部２１ｂが隙間２６を通過するように配設されている。このような隙間２６は、その後端が、テールランプ１０における下水平方向見切り線１０ｃと略同一高さとされて（図１、図２参照）、当該見切り線１０ｃに滑らかに連なっている。また、カバー部材２５は、その後縁がテールランプ１０の直近位置されて、カバー部材２５の外面がテールランプ１０の外面に対して略面一でもって滑らかに連なっている（図６参照）。このように、カバー部材２５の外面は、前後方向においては、閉状態にあるスライドドア３からテールランプ１０に渡る範囲で車体外面を構成し、かつ上下方向においては、リアクオ−タガラス１５から段差２３に渡る範囲について車体外面を構成することになる。すなわち、カバー部材２５の外面は、その上下および前後の各周辺部材に対して滑らかに連なって、車体側部の見栄え向上の上で好ましい設定となっている。
【００２５】
図６に示すように、ガイドレール２０の前端部は、前方に向かうにつれて車幅方向内方側へ向かうように湾曲されている。スライドドア３が後乗降用開口４を閉じている閉位置にあるときは、ドア支持部材２１はガイドレール２０の前端部に位置されている（図６実線位置）。この状態から、スライドドア３を後方に向けてスライド動させると、スライドドア３は、一旦車幅方向外方側に向けて変位された後、後方へ移動されることになる。スライドドア３を後方端付近にまで移動させた状態が、図６一点鎖線で示される。ガイドレール２０は、テールランプ１０の前端よりもさらに後方に伸びており、スライドドア３を図６一点鎖線の位置よりもさらの後方へ移動させた最後端位置では、ドア支持部材２１の後端部が、車体側面視においてテールランプ１０の前端よりも後方に位置されることになる。
【００２６】
スライドドア３は、駆動機構４０によって開閉駆動されるようになっている。すなわち、駆動機構４０は、駆動用モータ等内蔵した駆動部４１と、ドア支持部材２１に連結された無端環状（エンドレス）のワイヤ４２と、ワイヤ４２をガイドする前後一対のガイド部４３、４４とを有する。ガイド部４３、４４は、その内部にガイドプーリが配設されている。ワイヤ４２は、ガイドレール２０を十つように配設されると共に、駆動部４１とガイド部４３、４４（のガイドプーリ）とを通ように配設される。駆動部４１内のモータを例えば正転させることによってスライド３が前方に向けて駆動され、モータを例えば逆転させることによってスライド３が後方に向けて駆動される。なお、スライド３の前端位置、後端位置においてモータを停止させるように制御することによってスライド３の所定以上の前方動あるいは後方動を規制することもできるが、例えばガイドレール２０の前後端にそれぞれドア支持部材２１が当接するストッパを設けておくことによりスライド３の所定以上の前方動あるいは後方動を規制することもできる。もっとも、スライドドア３が所定以上前方へ移動するのは、後乗降用開口４の前縁にスライドドア３が当接することにより規制することもできる。なお、駆動部４１に対する駆動指令、つまりスライドドア３を開作動させる指令や閉作動させる指令は、車室内に設けたマニュアルスイッチやリモコンスイッチによって行われることになる。
【００２７】
前述した前後一対のガイド部４３、４４のうち、前方に位置するガイド部４３は、ガイドレール２０の前端付近に位置されて、リアクオ−タパネル１２のインナパネル１２ａに対してボルト等の固定具４５によって固定されている。また、後方のガイド部４４は、テールランプ１０の直近に位置されて、リアクオ−タパネル１２におけるアウタパネル１２ｂに対して、ボルト等の固定具４６によって固定されている。この後方に位置するガイド部４４は、ガイドレール２０よりも若干後方に位置されて、テールランプ１０の前端よりも後方に位置されている。すなわち、車体側面視において、ガイド部４４はテールランプ１０と車幅方向においてオーバラップされている。
【００２８】
ここで、テールランプ１０は、図６、図７に示すように、インナケーシング３５とテールランプ１０の外面を構成するレンズパネル３６とによって中空状に形成されている。テールランプ１０は、ガイド部４４が位置する部分においては、中空部分が全体的に前後方向に薄くされている（図６参照）。これに対して、ガイド部４４よりも上方位置においては、テールランプ１０は、その中空部分が前後方向に厚くされて、ランプ３７の装着空間が十分に確保されている（図７参照）。図６から明らかなように、テールランプ１０は、少なくともガイド部４４の位置付近では、後方に向けて凸となるように、つまり前方に向けて凹となるように形状設定されて、この凹となった部分に、ガイド部４４が配設されている他、ガイドレール２０の後端部が入り込んでいる。
【００２９】
なお、テールランプ１０の前端よりも後方に伸びるガイドレール２０の部分の詳細を図８に示してある。この図８から明らかなように、ガイドレール２０の後端部は、後方にあるガイドローラ２１ｅの車幅方向への変位を規制する左右一対の側壁部を有しない形状とされていて、テールランプ１０の下縁部が、ガイドローラ２１ｅの車幅方向外方側に位置されている。なお、ガイドレール２０のうち前方にある上下一対のガイドローラ２１ｄ、２１ｅが位置する部分は、図５の場合と同様の断面形状に設定されている。
【００３０】
図１中、８はサイドシルであり、このサイドシル８のうち後乗降用開口４の下方に位置する部分には、車幅方向外側面において、スライドドア３を前後方向にガイドするためのガイドレール３１が形成されている。そして、ガイドレール３０には、スライドドア３の前内端部に取付けられたドア支持部材３１の先端部がスライド可能に係合されている。なお、前方のガイドレール３０およびドア支持部材３１は、スライド３のスライドを所定軌跡に沿って滑らかにガイドする機能のみであり、前述した駆動機構４０は設けられていない。なお、前方のガイドレール３０およびドア支持部材３１は、スライドドア３をより滑らかに前後方向にスライドさせるために設けられたもので、必ずしも必要とはしないものである。
【００３１】
図９は、本発明の第２実施形態を示すものであり、図６に示すガイド部４４部分に対応している。本実施形態では、後方のガイド部４４を、ボルト等の固定具４６によってアウタパネル２１ｂに固定すると共に、テールランプ１０をアウタパネル１２ｂに固定しているボルト等の固定具４７によって、ガイド部４４をアウタパネル２１ｂに固定してある。すなわち、アウタパネル２１ｂに対して、テールランプ１０とガイド部４４とを共締めするようになっている。
【００３２】
図１０は、本発明の第３実施形態を示すものであり、図９に対応している本実施形態では、テールランプ１０（のインナケーシング３５）を、ボルト等の固定具４８によってアウタパネル２１ｂに対して固定してある。そして、ガイド部４４を、ボルト等の固定具４９によって、テールランプ１０（のインナケーシング３５）に対して固定してある。このように、本実施形態では、テールランプ１０とガイド部４４とが、固定具４９によって固定してなるモジュール化(ユニット化）されたものとなっている。この場合、テールランプ１０をアウタパネル２１ｂつまり車体に対して所定位置において固定するだけで、ガイド部４４が自動的に車体の所定位置において位置決めされた状態で固定されることになる。
【００３３】
以上実施形態について説明したが、テールランプ１０は、バックドア６に取付けたものであってもよい。また、テールランプ１０は、その上縁（上水平方向見切り線）がガイドレール２０と略同一高さ位置となるように、実施形態よりも十分低い位置に位置設定することもできる。ガイドレール２０の後端を、テールランプ１０の前端よりも後方に位置させることなく、テールランプ１０の前端直近に位置させるようにしてもよい。駆動機構４０を有しないものであってもよい（スライドドア３は手動開閉式）。本発明の目的は、明記されたものに限らず、実質的に好ましいあるいは利点として表現されたものを提供することをも暗黙的に含むものである。
【図面の簡単な説明】
【００３４】
【図１】本発明の一実施形態を示すもので、車体の側面図。
【図２】図１の状態からリアバンパとバックドアを取外した状態を示すもので、車体の後部側面図。
【図３】図２の状態からカバー部材を取外した状態を示す車体の後部側面図。
【図４】図２の状態からスライドドアを後方へスライドさせた状態を示す後方斜視図。
【図５】図４のスライドドアを開いた状態で、ガイドレールとドア支持部材とカバー部材との関係を示す縦断面図。
【図６】駆動機構の一例を示すもので、ガイドレールの高さ位置での水平方向断面図。
【図７】テールランプをガイドレールよりも高い位置で水平方向に断面して示す断面図。
【図８】ガイドレール後端部位置での状態を示す図５に対応した縦断面図。
【図９】本発明の第２実施形態を示すもので、図６に対応した要部断面図。
【図１０】本発明の第３実施形態を示すもので、図６に対応した要部断面図。
【符号の説明】
【００３５】
Ｓ：車両
３：スライドドア
４：後乗降用開口
１０：テールランプ
１０ａ：後面部
１０ｂ：側面部
１０ｃ：下水平方向見切り線
１２：リアクオ−タパネル
１２ａ：インナパネル
１２ｂ：アウタパネル
１５：リアクオ−タガラス
２０：ガイドレール
２０ａ：開口部
２１：ドア支持部材
２１ａ、２１ｂ：ブラケット部
２１ｃ：連結ピン
２１ｄ、２１ｅ：ガイドローラ
２３：段差（ガイドレール装着空間形成用のへこみ）
２５：カバー部材
２５ａ：インナパネル
２５ｂ：アウタパネル
２５ｃ：カバー部の下縁
２６：隙間
３５：インナケーシング（テールランプ）
３６：レンズパネル（テールランプ）
４０：駆動機構
４１：駆動部
４２：ワイヤ
４３：前ガイド部（ガイドプーリ）
４４：後ガイド部（ガイドプーリ）
４７：固定具（図９で、テールランプとガイド部との共締め用）
４９：固定具（図１０で、テールランプとガイド部とのモジュール化用）
【図１】
2005075281.tif 000003
【図２】
2005075281.tif 000004
【図３】
2005075281.tif 000005
【図４】
2005075281.tif 000006
【図５】
2005075281.tif 000007
【図６】
2005075281.tif 000008
【図７】
2005075281.tif 000009
【図８】
2005075281.tif 000010
【図９】
2005075281.tif 000011
【図１０】
2005075281.tif 000012